(57)【要約】【課題】感染症が疑われる患者用の特別動線を設け、感染症患者が受診する際に他の症状の一般外来患者と感染症患者とを完全に隔離することを可能にして、医院内での外来患者同士の感染を防ぐ。【解決手段】医院１に、一般外来患者用の待合室３から隔離された隔離室７を設ける。隔離室７へは一般外来患者用の出入口２とは分離区画された出入口８から出入可能とする。この隔離室７は診察室と待合室とを兼ねており、一般外来患者用の診察室６に隣接して医師が診察室６と往来可能であるとともに、一般患者と共通の受付室４からも往来可能に構成する。【選択図】  図１
2005016156.tif 000002
【特許請求の範囲】
【請求項１】
一般外来患者用の待合室から隔離された隔離待合室、及び一般外来患者用の診察室から隔離された隔離診察室が設けられ、
これらの隔離待合室及び隔離診察室へは、一般外来患者用の出入口から分離区画された出入口から出入可能とされたことを特徴とする医院。
【請求項２】
隔離待合室及び隔離診察室は一般外来患者用の診察室に隣接して前記診察室と往来可能に設けられたことを特徴とする請求項１に記載の医院。
【請求項３】
隔離待合室は、一般患者と共通の受付室に隣接して、この受付室と往来可能に設けられたことを特徴とする請求項１又は２に記載の医院。
【請求項４】
隔離待合室と隔離診察室とが一体に設けられたことを特徴とする請求項１〜３のいずれかに記載の医院。
【請求項５】
受付室内に薬局が設けられたことを特徴とする請求項１〜４のいずれかに記載の医院。
【発明の詳細な説明】
【０００１】
【発明の属する技術分野】
この発明は、様々な症状を抱えた患者が受診する医院に関する。
【０００２】
【従来の技術】
従来から本出願人は、個人医院の平面計画として、例えば特許文献１〜３等に記載された医院を提案し、医院内におけるスムーズな動線の確保や、医療行為の効率化を図っている。
【０００３】
このような個人医院は、内科や小児科である場合が多く、近隣に住む子供から老人まで幅広く来院し、それぞれの抱える症状も、インフルエンザやおたふくかぜ、麻疹等の感染症や、これらの感染症以外の症状など様々である。受診に訪れた患者は、受付を済ませ、症状に拘らず同じ待合室で診察を待つが、例えばインフルエンザが流行する時期には、インフルエンザの患者と、その他の疾病の一般患者及びその付添者などとが同じ待合室で診察を待つことになって、インフルエンザの患者からそうでない者にインフルエンザが院内感染するおそれもあった。
【０００４】
そこで、このように感染症以外の一般患者に、感染症患者からその病気が感染するのを防ぐため、通常の待合室に加えて、感染症が疑われる患者のための隔離された待合室が、別途、医院に並設されている例もある（例えば、特許文献４参照。）。
【０００５】
【特許文献１】
特開平１１−２２９６４４号公報
【特許文献２】
特開２０００−１６０８５１号公報
【特許文献３】
特開２００２−７０３４６号公報
【特許文献４】
特開２００２−１８８３０６号公報
【０００６】
【発明が解決しようとする課題】
しかしながら、前記の医院のように、感染症の患者の待合室が一般患者用の待合室から隔離されているだけでは、感染症患者は一般患者のいる待合室を通って診察室や感染症患者用の待合室に出入りすることになって、医院内を動き回る必要がある。したがって、診察や受付及び支払い時に双方の患者の動線が交錯することになってしまい、患者同士の感染を防止するには不十分と考えられる。また、このような感染症患者の診察後、場合によっては医院内を広く消毒しなければならないことにもなる。
【０００７】
本発明は以上のような事情にかんがみてなされたものであり、感染症が疑われる患者用の特別動線を設け、受診する際に他の一般患者と完全に隔離することを可能にして、医院内での外来患者同士の感染を防ぐことのできる医院を提供することを目的とする。
【０００８】
【課題を解決するための手段】
前記の目的を達成するため、本発明に係る医院は、一般外来患者用の待合室から隔離された隔離待合室、及び一般外来患者用の診察室から隔離された隔離診察室が設けられ、これらの隔離待合室及び隔離診察室へは、一般外来患者用の出入口から分離区画された出入口から出入可能とされたことを特徴とする。
【０００９】
この発明により、他の一般外来患者に病気を感染させるおそれのある感染症患者は、隔離待合室及び隔離診察室に専用の出入口を使用して直接出入りし、医院内を動き回ることなく受診することができる。したがって、感染症患者の動線と、一般外来患者の動線とは全く交錯することがなく、院内感染を防止することができる。
【００１０】
また、本発明に係る医院は、隔離待合室及び隔離診察室が一般外来患者用の診察室に隣接して、前記診察室と往来可能に設けられたことを特徴とする。これにより、感染症患者を診察する際の医師及び医院スタッフの動線を短くすることができ、作業能率の向上を図ることができる。
【００１１】
さらに、本発明に係る医院は、隔離待合室が一般患者と共通の受付室に隣接して、この受付室と往来可能に設けられたことを特徴とする。これにより、受付室の医院スタッフは一般外来患者用の待合室だけでなく感染症患者用の隔離待合室へも容易に往来でき、感染症患者が来院したときの動線を短くして作業能率を高めることができる。
【００１２】
また、本発明に係る医院は、隔離待合室と隔離診察室とが一体に設けられてもよい。これにより、医院の限られたスペースにおいても感染症患者専用の待合室と診察室とを備えることが可能になり、一般外来患者とは分離された感染症患者用の動線を形成することができる。
【００１３】
また、本発明に係る医院は、受付室内に薬局が設けられてもよい。これにより、薬局と受付室との往来が容易になり、薬剤の受渡しもスムーズに行うことができる。
【００１４】
【発明の実施の形態】
以下、本発明に係る医院の実施の形態について、図面を参照しつつ説明する。
【００１５】
図１は、本発明に係る医院の実施の形態を示す平面図である。図示するように、医院１の正面には主玄関２が設けられている。主玄関２は、来院する患者のうち感染症以外の症状を有する一般患者が医院１に出入りするための出入口である。
【００１６】
主玄関２を入ってすぐ左側には、一般患者用の待合室３が設けられている。また、この待合室３に隣接して、受付室４が配置されている。受付室４の一角には主玄関２に対面してカウンター４１が設けられている。この受付室４内には薬局５が設けられている。
【００１７】
受付室４の奥には、一般患者用の診察室６が設けられている。この診察室６へは、待合室３と受付室４のそれぞれからドア３１，４２を介して出入り可能とされている。診察室６には、隣接して処置室９１やレントゲン室９２、スタッフルーム９３等が配置されている。
【００１８】
これらの一般患者用の諸室に対し、医院１には感染症の外来患者用の隔離室７、及びこの隔離室７への出入口８が設けられている。隔離室７は、感染症患者の待合室と診察室とを兼ねており、診察室６及び受付室４に隣接して配置されている。また、隔離室７は、診察室６及び受付室４の双方からそれぞれ医師や医院スタッフがスライドドア６１，４３を介して往来可能に構成されている。これにより、感染症患者の診察時、医師や医院スタッフはこの隔離室７に容易に移動して、診察や受付等の作業を行うことができ、その動線も短いので作業効率を妨げることがない。
【００１９】
また、感染症患者の出入口８は、医院１正面の主玄関２の反対側に、主玄関２とは分離区画されて配置されている。これにより、感染症患者は、主玄関２や待合室３を通ることなく、出入口８から隔離室７に直接出入りするように構成されている。
【００２０】
医院１は以上のような構成とされることにより、感染症患者は、受診に際して、出入口８を通って直接隔離室７に入って受付を済ませ、診察を待ち、この隔離室７で医師の診察を受けることができる。すなわち、感染症患者は一般患者と接触することなく医院１での診察を受けることができる。これにより、感染症患者は、医院内を動き回ることなく受診することが可能となる。したがって、感染症患者の診察後、医院内を広く消毒する必要もなく、医院１内で一般患者の動線と感染症患者の動線が完全に分離されて、互いの動線が交錯しないので、感染症患者から一般患者にその病気が感染するのを防止することができる。
【００２１】
また、隔離室７と診察室６及び受付室４とがそれぞれ隣接して、往来可能に設けられているので、このような感染症患者の診察に際し、医師や医院スタッフの動線は短くて済み、作業能率を高めることができる。
【００２２】
医院１は前記のように構成されるほか、例えば、薬局５と隔離室７との間に受渡し窓口が形成されて、この窓口から薬剤の受渡しが行われるように構成されてもよい。
【００２３】
また、例えばインフルエンザの流行時など、感染症の患者が一般患者に比して増加する時期には、待合室３を感染症患者用の待合室とし、隔離室７を一般患者用の待合室として利用することもできる。これにより、感染症が一般患者に感染するのを防止するとともに、増加した感染症患者に対応することが可能となる。
【００２４】
【発明の効果】
以上説明したように、本発明に係る医院は、一般外来患者用の待合室から隔離された隔離待合室、及び一般外来患者用の診察室から隔離された隔離診察室が設けられ、これらの隔離待合室及び隔離診察室へ、一般外来患者用の出入口から分離区画された出入口から出入可能とされているので、一般外来患者の動線と感染症患者の動線とを完全に分離することができ、感染症の患者から他の一般外来患者への病気の感染を防止することが可能になる。
【００２５】
また、本発明に係る医院は、隔離診察室が一般外来患者用の診察室に隣接して往来可能に設けられ、隔離待合室は、一般外来患者用の診察室及び受付室から往来可能に設けられているので、感染症患者の診察にあたっての医師及び医院スタッフの動線が短くて済み、作業能率を高めることができる。
【図面の簡単な説明】
【図１】本発明に係る医院の実施の形態を示す平面図である。
【符号の説明】
１    医院
２    主玄関
３    待合室
４    受付室
４１  カウンター
５    薬局
６    診察室
７    隔離室
８    出入口
９１  処置室
９２  レントゲン室
９３  スタッフルーム
【図１】
2005016156.tif 000003